(57)【特許請求の範囲】
【請求項１】
バイパスガイドにセットされた用紙を送る用紙送り手段と、
その用紙が送られる搬送方向を基準として、前記用紙送り手段の下流側に設けられ、前記送られて来る用紙が複数枚重なっている場合、その重なっている用紙の進行が一時的に阻害され互いにずれを生じさせるように、前記用紙の搬送方向を基準にして、直前の搬送面に対して登り坂の面を形成する２個の用紙分離促進手段と、
前記搬送方向を基準として、前記２個の用紙分離促進手段の更に下流側に設けられ、重送されて来る用紙を分離し、下流側へ供給する１個の用紙分離・供給手段とを備え、
前記用紙分離・供給手段は、給紙コロと、その給紙コロに対応する位置に設けられ、重送されてきた用紙を分離するための分離パッドと、その分離パッドをささえるパット保持用バネとを有し、
前記用紙分離・供給手段と前記用紙送り手段とは、連結部材によって連結され、前記用紙分離・供給手段へ加えられた回転力は前記連結部材を介して前記用紙送り手段へ伝達されるようになっており、
前記２個の用紙分離促進手段は、前記送られて来る用紙の、用紙幅方向を基準として両端部に対応する位置に配置されている、
ことを特徴とする給紙装置。
【発明の詳細な説明】
【０００１】
【産業上の利用分野】
本発明は、用紙分離機能を備えた給紙装置に関するものである。
【０００２】
【従来の技術】
従来、例えば複写機の給紙装置などには、用紙の重送防止のために用紙分離機構が設けられている。
【０００３】
以下、図面を参照しながら、用紙分離機能を備えた給紙装置の構成と動作を説明する。
【０００４】
図６は、複写機本体を前面側から見たときの、一部略示断面図である。
【０００５】
同図において、１０１は手差し用紙１００を供給するための用紙供給口であり、１０２は用紙１００を後述するスタックバイパスローラー１０３へ送るための前送りローラーである。１０３は前送りローラー１０２から送られてきた用紙１００を転写部側へ供給するためのスタックバイパスローラーであり、１０４はスタックバイパスローラー１０３により送られてきた用紙１００を露光のタイミングと同期して感光体ドラム１０５へ送るためのレジストローラーである。
【０００６】
上記構成において、図中の一点鎖線で囲んだ部分Ａが用紙の重送防止のために用紙分離機構が設けられた給紙装置であり、図７にこの給紙装置を更に詳細に表した斜視図を、図８にこの給紙装置の一部断面拡大図を示す。
【０００７】
以下、これらの図面を参照しながら、給紙装置についてその構成及び動作を更に具体的に述べる。
【０００８】
図７において、手差し用紙１００を用いる場合、用紙１００の搬送は、前送りローラー１０２とスタックバイパスローラー１０３の回転により行われる。
【０００９】
すなわち、前送りローラー１０２への駆動伝達は、スタックバイパスローラー１０３の回転軸の一端（複写機本体の奥側）に取り付けられたスタッククラッチ１１１の作動がスタックバイパスラダーチェーン１１２を通じて伝達される。又、スタックバイパスローラー１０３への駆動伝達は、スタッククラッチ１１１の作動により行われる。
【００１０】
先ず、用紙１００が用紙供給口１０１にセットされると、本体側に取り付けられたスタックスイッチ１１３が用紙１００の存在を検知してＯＮ状態となり、メインモター（図示省略）が約２秒間駆動して、前送りローラー１０２が複写機本体の前面側から見て時計方向に回転し、用紙１００に乗り上げる（図８参照）。尚、図８は用紙１００に乗り上げる直前の状態を示している。
【００１１】
その後、前送りローラー１０２が回転すると、そのローラー表面に接触している用紙１００が移動を始める。最上部の用紙の移動に伴ってその下側にセットされている用紙も数枚重なったままスタックバイパスローラー１０３へ搬送される。
【００１２】
ここで、図８に示すように、スタックバイパスローラー１０３に対向する位置には、重送されてきた用紙を分離するためのスタックパッド１２１が一つ設けられている。このスタックパッド１２１はバイパスバネ１２２により支えられていて、スタックバイパスローラー１０３とスタックパッド１２１の間を用紙が通過する時に、用紙に適当な摩擦抵抗を加え、重なった用紙が分離するように調整されている。
【００１３】
このように構成された用紙分離機構を通過することにより分離された用紙は、スタックバイパスローラー１０３の回転により、更に下流側のレジストローラー１０４へ搬送される。
【００１４】
【発明が解決しようとする課題】
しかしながら上記のような従来の給紙装置では、スタックバイパスローラー１０３とスタックパッド１２１により構成される用紙分離機構以外には、用紙の分離にかかわる機構を有しないため、例えば、用紙が多数枚載置された場合等には、前送りローラー１０２により重送される用紙の枚数が多くなり、スタックパッド１２１の摩擦抵抗のみでは、用紙が完全には分離出来ず、複数枚の用紙が重なったままスタックバイパスローラー１０３の駆動によりレジストローラー１０４へ搬送されてしまうという課題を有していた。
【００１５】
本発明は、従来の給紙装置のこのような課題を考慮し、用紙の分離性能を従来に比べてより一層向上させることが出来る給紙装置を提供することを目的とする。
【００１６】
【課題を解決するための手段】
本発明は、バイパスガイドにセットされた用紙を送る用紙送り手段と、
その用紙が送られる搬送方向を基準として、前記用紙送り手段の下流側に設けられ、前記送られて来る用紙が複数枚重なっている場合、その重なっている用紙の進行が一時的に阻害され互いにずれを生じさせるように、前記用紙の搬送方向を基準にして、直前の搬送面に対して登り坂の面を形成する２個の用紙分離促進手段と、
前記搬送方向を基準として、前記２個の用紙分離促進手段の更に下流側に設けられ、重送されて来る用紙を分離し、下流側へ供給する１個の用紙分離・供給手段とを備え、
前記用紙分離・供給手段は、給紙コロと、その給紙コロに対応する位置に設けられ、重送されてきた用紙を分離するための分離パッドと、その分離パッドをささえるパット保持用バネとを有し、
前記用紙分離・供給手段と前記用紙送り手段とは、連結部材によって連結され、前記用紙分離・供給手段へ加えられた回転力は前記連結部材を介して前記用紙送り手段へ伝達されるようになっており、
前記２個の用紙分離促進手段は、前記送られて来る用紙の、用紙幅方向を基準として両端部に対応する位置に配置されている、
ことを特徴とする給紙装置である。
【００１７】
【作用】
本発明では、搬送されて来る用紙は、搬送方向を基準にして直前の搬送面に対して登り坂の面を形成している部分上を通過する際、用紙が複数枚重なっている場合は、その重なっている用紙の進行が一時的に阻害され、互いにずれを生じる。  これにより、互いにずれを生じた用紙は分離されやすくなり、その後、用紙分離・供給手段における用紙の分離の性能がより一層向上する。
【００１８】
【実施例】
以下、本発明にかかる実施例について図面を参照しながら説明する。
【００１９】
図１（ａ），（ｂ）は、複写機において利用された、本発明の一実施例の給紙装置の構成図であり、同図を用いて本実施例の構成を述べる。ここで、図１（ａ）は本実施例の一部断面側面図（図１（ｂ）のＸＸ’断面矢視図）であり、図１（ｂ）は同実施例の平面図であり、図２は同実施例の一部拡大図である。
【００２０】
図１（ａ），（ｂ）に示すように、１は用紙２を搬送する搬送路を形成するバイパスガイドであり、３は用紙２を後述する給紙コロ４へ送るための、本発明の用紙送り手段としての前送りコロである。この前送りコロ３はバイパスガイド１の中央部ＹＹ’から図中（図１（ｂ）参照）の上下方向へ等距離だけ離れた位置に１個づつ、合計２個が設けられ、回転軸により回動可能に配置されている。又、この回転軸は、用紙を送る場合に前送りコロ３が用紙に乗り上げることが可能なように図中の斜め上下方向へ移動可能に保持されている。ここで、バイパスガイド１の中央部ＹＹ’とは、図中（図１（ｂ）参照）の上下方向を基準にしたときの、バイパスガイド１の幅寸法のセンターに相当する部分をいう。これは、搬送される用紙の、搬送方向Ｂに対して直角方向の用紙幅のセンターの位置と一致する。
【００２１】
４は前送りコロ３から送られてきた用紙２を転写部（図示省略）側へ供給するための、本発明の用紙分離・供給手段としての給紙コロである。給紙コロ４はバイパスガイド１の中央部ＹＹ’に１個設けられ、回転軸により回動可能に配置されている。
【００２２】
給紙コロ４に対向する位置には、重送されてきた用紙を分離するための分離用パッド５が一つ設けられている。この分離パッド５はパッド保持用バネ６によりささえられている。給紙コロ４と分離パッド５の間を用紙が通過する時に、用紙に適当な摩擦抵抗が加えられ、用紙が完全に分離されて搬送されるようにするために、パッド保持用バネ６の復元力が調整されており、且つ分離パッド５が摩擦抵抗の大きいゴム製の板状部材で構成されている。
【００２３】
７はバイパスガイド１の一部を、用紙の搬送面を基準として給紙コロ４とは反対側に所定の傾斜が生じるように折り曲げられた折り曲げ部である。この折り曲げ部７はバイパスガイド１の中央部ＹＹ’から図中から上下方向へ等距離だけ離れた位置であり、前送りコロ３の中央部ＹＹ’からの位置よりもさらに上下に離れて１個づつ設けられている。又、この折り曲げ部７の位置は、搬送される用紙の上記用紙幅を基準としてその両端部に対応するようになされている。８は折り曲げ部７の表面に張り付けられた所定の厚みを有するゴム製の分離促進部材である。本発明の用紙分離促進手段は、折り曲げ部７と分離促進部材８とを含む。
【００２４】
図２に示すように、折り曲げ部７に張り付けられた分離促進部材８は、用紙の搬送方向Ｂを基準として、下流方向へ行くに従って、その直前の搬送面に比べて上り坂となる傾斜面を形成する。搬送される用紙の先端部がその傾斜面に触れると、一時的にその進行が阻害され、重なりあっていた用紙がその搬送方向Ｂに対して互いに位置ずれを起こすように上記傾斜角度やゴム表面の摩擦抵抗が調整されている。又、用紙の両端部に対応する位置に分離促進部材８を設けた理由は、上述した用紙に対する進行の阻害が必要以上にあった場合でも、その進行阻害から用紙が開放されやすくするための工夫である。ここで、図２は、用紙の先端部が分離促進部材８の傾斜面に沿って位置ずれを生じている様子を示す図である。
【００２５】
９はバイパスガイド１上で、前送りコロ３を構成する一対のコロ部分の下側に対応する位置に設けられた所定の深さの一対の凹部であり、１０はその凹部９が用紙搬送面とほぼ同一の高さになるように、その一対の凹部９に埋め込まれ、用紙裏面との間で適当な摩擦抵抗を生じさせるための摩擦板である。この摩擦板１０はセットされた用紙が複数枚ある場合、最下面の用紙がその上の用紙と共に重なったまま搬送されることを防止するための工夫である。
【００２６】
１１は給紙コロ４の回転軸の一端（複写機本体の奥側）に取り付けられた給紙ギャー（図１（ｂ）参照）であり、駆動部（図示省略）からの回転力を連結部材１２を介して前送りコロ３へ回転力を伝達するものである。１３は連結部材１２からの回転力を得て前送りコロ３を回転させるための前送りコロ３の回転軸の一端（複写機本体の奥側）に取り付けられた前送りギャーである。
【００２７】
以上のような構成において、次に本実施例の動作を図３（ａ）〜（ｃ）を参照しながら説明する。
【００２８】
先ず、用紙２がバイパスガイド１にセットされると、複写機本体側に取り付けられたスタックスイッチ（図示省略）が用紙の存在を検知してＯＮ状態となり、メインモター（図示省略）が約２秒間駆動して、前送りコロ３が用紙２に乗り上げる（図３（ａ）参照）。
【００２９】
その後、用紙の搬送のために前送りコロ３が回転すると、そのローラー表面に接触している用紙２が給紙コロ４側へ送られる。最上部の用紙の移動に伴ってその下側にセットされている用紙も数枚重なったまま搬送されることがあるが、これら重送された用紙の先端部は給紙コロ４の直前に設けられている分離促進部材８の傾斜面に触れる。用紙の先端部がこの傾斜面に触れると、一時的にその進行が阻害され、重なりあっていた用紙がその搬送方向Ｂに対して互いに位置ずれを起こす（図３（ｂ）参照）。
【００３０】
このように位置ずれが生じた時点で、既に最上面の用紙が分離され、給紙コロ４側へ送られた場合は、給紙コロ４がその分離された用紙を転写部側へ搬送する。
【００３１】
しかし、上述のように用紙に位置ずれが生じた時点で、最上面の用紙が分離されずに、複数枚の用紙が給紙コロ４側へ送られた場合でも、給紙コロ４と分離用パッド５の間を用紙が通過すると、そのときに搬送されるべき用紙が完全に分離されて、転写部側へ搬送される（図３（ｃ）参照）。
【００３２】
このように、完全に分離されるのは、上述のように分離促進部材８の傾斜面において生じた用紙相互の位置ずれがほぼ保持されたまま複数の用紙が給紙コロ４へ送られるためである。すなわち、この用紙の位置ずれが、給紙コロ４側にて行われる本来の分離動作をより確実になされるための補助的な役割を果たしているのである。
【００３３】
上述した用紙に位置ずれを生じさせることの有効性を更に具体的に述べる。
【００３４】
例えば、ホッチキス止めされていた用紙を、ホッチキスの針を外して利用するような場合、ホッチキスの針によって用紙に明けられた孔が用紙重送の要因となることが多いが、これを回避するためには上記孔の位置を相互にずらせばよく、そのために用紙をずらすことは極めて有効である。要するに、ホッチキスの例に限らず、用紙端面に生じたエッジなど、用紙がくっついたままで分離されにくい状況にある場合に上記内容が有効となる。
【００３５】
本実施例によれば、給紙コロ４の直前に分離促進部材８を設けることにより、給紙コロ４での最終的な分離動作の前に、用紙をずらし、分離促進を施すことで、分離をより一層確実に行えるといった効果を発揮する。
【００３６】
尚、上記実施例では、用紙分離促進手段として、直線的な傾斜面を構成する場合について説明したが、これに限らず、例えば、図４に示すように、傾斜面が凹面になっていてもよく、要するに、用紙にずれが生じさえすればその形状は問わない。
【００３７】
又、上記実施例では、用紙分離促進手段として、搬送面の一部である２箇所に重力方向（複写機本体の底面方向）とは反対方向の斜め上方向に傾斜した面を形成する場合について説明したが、これに限らず、例えば、複写機本体の底面方向に傾斜した面を形成する構成でもよく、要するに、用紙の搬送方向を基準にして直前の搬送面に対して登り坂の面を形成する構成でありさえすれば、その登り坂が必ずしも複写機本体の底面方向と逆の方向に傾斜している必要はなく、その傾斜方向は問わない。
【００３８】
又、上記実施例では、用紙分離促進手段として、搬送面の一部である２箇所に傾斜面を形成する場合について説明したが、これに限らず、例えば、その傾斜面は、１箇所でもよいし、２箇所以上であってもよいし、あるいは用紙送り手段と用紙分離・供給手段との間の搬送面の搬送方向を基準として、その途中から下流側に至る搬送面の全面（図５参照）であってももちろんよい。
【００３９】
又、上記実施例では、用紙分離促進手段が用紙をその搬送方向を基準として、前後方向にずらすように構成されている場合について説明したが、これに限らず、例えば、上記搬送方向と直角方向にずらすように構成されていてももちろんよい。
【００４０】
又、上記実施例では、本発明の給紙装置が複写機に用いられた場合について説明したが、これに限らず、例えばファクシミリやＡＤＦ（Ａｕｔｏ  Ｄｏｃｕｍｅｎｔ  Ｆｅｅｄｅｒ）等、給紙動作を行なうものであれば、どのようなもの対しても利用可能である。
【００４１】
【発明の効果】
以上述べたところから明らかなように本発明は、用紙の分離性能を従来に比べてより一層向上させることが出来るという長所を有する。
【図面の簡単な説明】
【図１】図１（ａ）；複写機に於て利用された、本発明の一実施例の給紙装置の構成を示す一部断面側面図
図１（ｂ）；同実施例の平面図
【図２】複写機に於て利用された同実施例の一部拡大図
【図３】図３（ａ）〜（ｃ）；同実施例の動作説明のための給紙装置の一部断面側面図
【図４】本発明の他の実施例の給紙装置の用紙分離促進手段の構成図
【図５】本発明の他の実施例の給紙装置の用紙分離促進手段の構成図
【図６】従来の複写機の給紙装置の構成を示す一部略示断面図
【図７】従来の複写機の給紙装置の斜視図
【図８】従来の複写機の給紙装置の一部断面拡大図
【符号の説明】
１      バイパスガイド
２      用紙
３      前送りコロ
４      給紙コロ
５      分離用パッド
６      パッド保持用バネ
７      折り曲げ部
８      分離促進部材
９      凹部
１０    摩擦板
１１    給紙ギャー
１２    連結部材
１３    前送りギャー
１０１  用紙供給口
１０２  前送りローラー
１０３  スタックバイパスローラー
【図１】
0003593153.tif 000002
【図２】
0003593153.tif 000003
【図３】
0003593153.tif 000004
【図４】
0003593153.tif 000005
【図５】
0003593153.tif 000006
【図６】
0003593153.tif 000007
【図７】
0003593153.tif 000008
【図８】
0003593153.tif 000009